(57)【要約】【課題】  広告表示を自由に変更することができ、かつ、広告媒体としての利用頻度を高めることができるポケット型紙おしぼりの提供。【解決手段】  ポケット型紙おしぼりは、ポケットティッシュサイズの縦横寸法と略同一の縦横寸法を有する包装物であり、包装袋２０の紙おしぼり収容部２１Ａ内に紙おしぼり包装物１０を収容すると共に、第２の収容部２５内に広告シートＰを挿脱自在に収容する。包装袋２０の第１の収容部２１に紙おしぼり包装物１０を収容して、蓋部２２により第１の収容部２１の開口２１ａを密閉する。このとき、折返し部２１Ｂが紙おしぼり収容部２１Ａ内を略気密に維持する。【選択図】  図１
2006204387.tif 000002
【特許請求の範囲】
【請求項１】
紙おしぼり用原紙をポケットティッシュサイズの縦横寸法未満の縦横寸法となるよう紙おしぼり製造装置により折畳み、更に、折畳み状態とした紙おしぼりをポケットティッシュサイズの縦横寸法未満の縦横寸法となるよう紙おしぼり包装装置により密封包装してなる紙おしぼり包装物と、
前記ポケットティッシュサイズの横寸法と略同一の横寸法と前記ポケットティッシュサイズの縦寸法以上の縦寸法とを有し、前記紙おしぼり包装物を収容する矩形袋状の第１の収容部と、前記ポケットティッシュサイズの縦横寸法と略同一の縦横寸法を有し、前記ポケットティッシュサイズの縦横寸法未満の縦横寸法を有する広告シートを収容自在な矩形袋状の第２の収容部とを厚さ方向に並設した二重袋状をなし、更に、前記第１の収容部の横寸法と同一の横寸法を有し、前記第１の収容部の開口を開閉自在に密閉する矩形シート状の蓋部を、前記第１の収容部の開口の両側縁のうち、前記第２の収容部側に位置する一側縁から上方に延設して一体形成した包装袋とを備え、
前記包装袋の第１の収容部に前記紙おしぼり包装物を収容して、前記蓋部により前記第１の収容部の開口を密閉し、その状態で、前記ポケットティッシュサイズの縦横寸法と略同一の縦横寸法の包装物とされると共に、前記第２の収容部の開口を当該包装物の上端に沿って開放状態で露出し、その開口を介して前記第２の収容部に所望の広告シートを任意に挿脱自在としたことを特徴とするポケット型紙おしぼり。
【請求項２】
紙おしぼり用原紙をポケットティッシュサイズの縦横寸法より若干小さい縦横寸法となるよう紙おしぼり製造装置により折畳み、更に、折畳み状態とした紙おしぼりをポケットティッシュサイズの縦横寸法より若干小さい縦横寸法となるよう紙おしぼり包装装置により密封包装してなる紙おしぼり包装物と、
上端を開口とした矩形袋状の第１の収容部と、上端を開口とし、その開口から前記ポケットティッシュサイズの縦横寸法未満の縦横寸法を有する広告シートを内部に収容自在な矩形袋状の第２の収容部とを厚さ方向に並設した二重袋状をなし、更に、前記第１の収容部の横寸法と同一の横寸法を有する矩形シート状の蓋部を、前記第１の収容部の開口の両側縁のうち、前記第２の収容部側に位置する一側縁から上方に延設して一体形成した包装袋とを備え、
前記包装袋の第１の収容部の横寸法を前記ポケットティッシュサイズの横寸法と略同一寸法とすると共に、その縦寸法を前記ポケットティッシュサイズの縦寸法より所定寸法大きな縦寸法として、前記第１の収容部のうち、下端から前記ポケットティッシュサイズの縦寸法と略同一の縦寸法部分を、前記紙おしぼり包装物を内部に収容自在な紙おしぼり収容部とすると共に、前記紙おしぼり収容部より上側へと前記所定寸法だけ延びる部分を、前記紙おしぼり収容部の上端で前記第２の収容部と反対側へと折り返される折返し部として、前記蓋部を、前記折返し部の上端の前記開口の両側縁のうち、前記第２の収容部側に位置する一側縁から上方に延設し、
前記包装袋の第２の収容部の横寸法及び縦寸法を前記紙おしぼり収容部の横寸法及び縦寸法と同一とし、前記第２の収容部を前記紙おしぼり収容部と整合させて並設し、
前記包装袋の第１の収容部の紙おしぼり収容部に前記紙おしぼり包装物を収容して、前記折返し部を前記紙おしぼり収容部の上端で前記第２の収容部と反対側へと折り返して折畳み、前記折返し部の折り返し部分により前記紙おしぼり収容部内を略気密状態として、前記紙おしぼり収容部内の気体水分が外部に漏れるのを防止すると共に、前記蓋部により前記第１の収容部の開口を密閉し、その状態で、前記ポケットティッシュサイズの縦横寸法と略同一の縦横寸法の包装物とされると共に、前記第２の収容部の開口を当該包装物の上端に沿って開放状態で露出し、その開口を介して前記第２の収容部に所望の広告シートを任意に挿脱自在としたことを特徴とするポケット型紙おしぼり。
【請求項３】
前記紙おしぼり包装物は、全体として、約５ｍｍ以上の厚みを有するよう、前記第１の収容部内に収容されることを特徴とする請求項１または２記載のポケット型紙おしぼり。
【発明の詳細な説明】
【技術分野】
【０００１】
本発明は、ポケットティッシュと同様のサイズとしたポケット型紙おしぼりに関する。
【背景技術】
【０００２】
従来、紙おしぼりは、主に、飲食店等において使用者（顧客等）に提供され、手を清浄化したり手等の汚れを落としたりする目的で使用される。一方、紙おしぼりを包装してなる紙おしぼり包装物は、一般に使い捨てであり、多数の者（使用者）の目に触れることから、かかる紙おしぼり包装物に広告機能を併せ持たせることが考えられる。この種の技術として、例えば、特許文献１に記載の技術がある。
【特許文献１】実開平１−１０８１８６号公報
【０００３】
特許文献１には、柔軟性を有する樹脂製フィルムの表裏両面に紙または不織布のシートを圧着し、全面に所定のエンボス加工処理及び薬液含浸処理を施してなり、更に、予め前記樹脂製フィルムの面上に、商品宣伝広告文字等の印刷表示を施してなる紙おしぼりが開示されている。
【発明の開示】
【発明が解決しようとする課題】
【０００４】
しかし、特許文献１に記載の技術は、樹脂製フィルムの面上に予め印刷表示を施し、紙または不織布を透過して前記印刷表示を外部から視認できるようにし、これにより広告機能を発揮する。よって、特許文献１に記載の技術では、紙おしぼりの広告表示が不明瞭となる可能性があり、また、紙おしぼりに一旦施された広告表示を変更することは不可能である。
【０００５】
そこで、本発明は、広告表示を自由に変更することができ、かつ、広告媒体としての利用頻度を高めることができるポケット型紙おしぼりの提供を課題とする。
【課題を解決するための手段】
【０００６】
本発明に係るポケット型紙おしぼりは、紙おしぼり用原紙をポケットティッシュサイズの縦横寸法未満の縦横寸法となるよう紙おしぼり製造装置により折畳み、更に、折畳み状態とした紙おしぼりをポケットティッシュサイズの縦横寸法未満の縦横寸法となるよう紙おしぼり包装装置により密封包装してなる紙おしぼり包装物と、前記ポケットティッシュサイズの横寸法と略同一の横寸法と前記ポケットティッシュサイズの縦寸法以上の縦寸法とを有し、前記紙おしぼり包装物を収容する矩形袋状の第１の収容部と、前記ポケットティッシュサイズの縦横寸法と略同一の縦横寸法を有し、前記ポケットティッシュサイズの縦横寸法未満の縦横寸法を有する広告シートを収容自在な矩形袋状の第２の収容部とを厚さ方向に並設した二重袋状をなし、更に、前記第１の収容部の横寸法と同一の横寸法を有し、前記第１の収容部の開口を開閉自在に密閉する矩形シート状の蓋部を、前記第１の収容部の開口の両側縁のうち、前記第２の収容部側に位置する一側縁から上方に延設して一体形成した包装袋とを備え、前記包装袋の第１の収容部に前記紙おしぼり包装物を収容して、前記蓋部により前記第１の収容部の開口を密閉し、その状態で、前記ポケットティッシュサイズの縦横寸法と略同一の縦横寸法の包装物とされると共に、前記第２の収容部の開口を当該包装物の上端に沿って開放状態で露出し、その開口を介して前記第２の収容部に所望の広告シートを任意に挿脱自在とした。
【発明の効果】
【０００７】
本発明に係るポケット型紙おしぼりによれば、広告表示を自由に変更することができ、かつ、広告媒体としての利用頻度を高めることができる。
【発明を実施するための最良の形態】
【０００８】
以下、本発明を実施するための最良の形態（以下、実施の形態という）を説明する。
【０００９】
図１〜図５に示すように、本実施の形態に係るポケット型紙おしぼりは、紙おしぼり包装物１０及び包装袋２０を備える。紙おしぼり包装物１０は、紙おしぼり用原紙をポケットティッシュサイズの縦横寸法未満の縦横寸法（好ましくは、若干小さい縦横寸法）となるよう紙おしぼり製造装置により所定の態様で折畳み、更に、折畳み状態とした紙おしぼり１１をポケットティッシュサイズの縦横寸法未満の縦横寸法（好ましくは、若干小さい縦横寸法）となるよう、紙おしぼり包装装置によりポリエチレンフィルム等の密封袋１２内に密封包装してなる。例えば、紙おしぼり１１は、三層構造の長方形状の紙おしぼり原紙を観音折りした後、その幅方向（観音折り方向）の中央線で二つ折りし、その後、その長さ方向に二つ折りして所定態様に折畳まれると共に、水分を含浸され、前記密封袋１２内に収容して包装される。このとき、紙おしぼり１１の縦横寸法がポケットティッシュサイズの縦横寸法より若干小さい縦横寸法となるよう折畳み、密封袋１２の縦横寸法がポケットティッシュサイズの縦横寸法より若干小さい縦横寸法となるよう密封包装することが好ましい。例えば、一般的なポケットティッシュサイズは、縦寸法が約８０ｍｍ、横寸法が約１１５ｍｍであるため、紙おしぼり１１は、例えば、縦寸法が約４５〜５５mm（例えば、約４８ｍｍ）、横寸法が約７０〜９０ｍｍ（例えば、約８０ｍｍ）となるよう、紙おしぼり製造装置の折返し部で自動的に折畳まれる。一方、密封袋１２も、一般的なポケットティッシュサイズ未満の縦横寸法、例えば、縦寸法が約５０〜６０ｍｍ（例えば、約５５ｍｍ）、横寸法が約１０５〜１１０ｍｍ（例えば、１０８ｍｍ）となるよう、紙おしぼり包装装置により前記紙おしぼり１１を自動包装する。
【００１０】
前記包装袋２０は、第１の収容部２１と第２の収容部２５とを厚さ方向に並設した二重袋状をなす。詳細には、第１の収容部２１は、上端を開口２１ａとした縦長の矩形（長方形）袋状をなす。具体的には、第１の収容部２１の横寸法は、ポケットティッシュサイズの横寸法と略同一寸法とされると共に、その縦寸法は、ポケットティッシュサイズの縦寸法より所定寸法大きな縦寸法とされている。そして、第１の収容部２１のうち、その下端からポケットティッシュサイズの縦寸法と略同一の縦寸法部分が、紙おしぼり包装物１０を内部に収容自在な紙おしぼり収容部２１Ａとされている。また、第１の収容部２１のうち、紙おしぼり収容部２１Ａより上側へと前記所定寸法だけ延びる部分が、紙おしぼり収容部２１Ａの上端で第２の収容部２５と反対側へと折り返される折返し部２１Ｂとなっている。紙おしぼり収容部２１Ａと折返し部２１Ｂとの間には折返し線Ｆが形成される。更に、第１の収容部２１の横寸法と同一の横寸法を有する矩形シート状の蓋部２２が、第１の収容部２１の開口２１ａの厚さ方向両側で幅方向（左右方向）に延びる両側縁のうち、第２の収容部２５側に位置する一側縁から上方に延設して一体形成されている。詳細には、蓋部２２は、折返し部２１Ｂの上端の開口２１ａの両側縁のうち、第２の収容部２５側に位置する一側縁から上方に延設されている。蓋部２２の裏面（包装袋２０の背面側の面）には、その上端から所定寸法下側まで、左右に延びる帯状の粘着面２３が層状に形成されている。
【００１１】
一方、第２の収容部２５は、上端を開口２５ａとし、その開口２５ａからポケットティッシュサイズの縦横寸法未満の縦横寸法を有する広告シートＰを内部に収容自在な矩形袋状をなし、広告シート収容部を構成する。包装袋２０の第２の収容部２５の横寸法及び縦寸法は、紙おしぼり収容部２１Ａの横寸法及び縦寸法と同一とされている。また、第２の収容部２５は、紙おしぼり収容部２１Ａと整合する矩形状を有し、紙おしぼり収容部２１Ａと完全に整合する位置に並設されている。これにより、第２の収容部２５の上端の開口２５ａは、前記折返し線Ｆに一致する。
【００１２】
例えば、包装袋２０は、縦寸法約１２６ｍｍ、横寸法約１１４ｍｍの外形を有し、この場合、第１の収容部２１の縦寸法は約９６ｍｍとされる。このとき、紙おしぼり包装部２１Ａの縦寸法は約８０ｍｍ、折返し部２１Ｂの縦寸法は約１６ｍｍとされる。また、蓋部２２の縦寸法は約３０ｍｍとされ、そのうち、粘着面２３の縦寸法は約２２ｍｍとされている。一方、第２の収容部２５の縦寸法は、紙おしぼり収容部２１Ａと同一の約８０ｍｍとされている。なお、これらは全て同一の横寸法となる。また、包装袋２０は、透明なポリプロピレンフィルム、ポリエチレンフィルム等の樹脂フィルムにより上記袋状となるようシート成形することが好ましい。
【００１３】
本実施の形態では、包装袋２０の第１の収容部２１の紙おしぼり収容部２１Ａ内に、例えば２個の紙おしぼり包装物１０を、図１の矢印で示す方向へと開口２１ａから収容する。この後、折返し部２１Ｂを紙おしぼり収容部２１Ａの上端縁、即ち、折返し線Ｆで第２の収容部２５と反対側へと折り返して折畳む。これにより、折返し部２１Ｂの折返し部分により紙おしぼり収容部２１Ａ内が略気密状態とされ、紙おしぼり収容部２１Ａ内で紙おしぼり包装物１０から抜け出た湿気乃至気体水分が、外部に漏れるのを効果的に防止することができる。また、このとき、蓋部２２が、粘着面２３を介して第１の収容部２１の背面に離脱自在に粘着され、第１の収容部２１の開口２１ａを紙おしぼり収容部２１Ａに対して開閉自在に密閉する。この状態で、本実施の形態のポケット型紙おしぼりは、ポケットティッシュサイズの縦横寸法と略同一の縦横寸法の包装物とされる。また、このとき、第２の収容部２５の開口２５ａは、当該包装物の上端に沿って開放状態で露出し、その開口２５ａを介して第２の収容部２５に、所望の広告シートＰを任意に挿脱することができる。即ち、広告シートＰは、包装袋２０の第２の収容部２５内に、例えば図４の矢印で示す方向へと開口２５ａから収容する。なお、広告シートＰの縦横寸法は、ポケットティッシュサイズの縦横寸法未満の縦横寸法とされ、例えば、縦寸法約７３ｍｍ、横寸法約１０３ｍｍとされる。即ち、このとき、図５に示すように、包装袋２０には、紙おしぼり包装物１０収容用の密閉状の第１の収容空間Ｃ１と、広告シートＰ収容用の開放された第２の収容空間Ｃ２とが形成される。
【００１４】
本実施の形態のポケット型紙おしぼりは、透明な包装袋２０により、第２の収容部２５内の広告シートＰの広告表示を外部からでも明瞭に視認することができる。また、第２の収容部２５に広告宣伝者が所望する任意の広告表示を施した広告シートを自由に挿脱して入れ替えることができ、より柔軟な広告機能を発揮することができる。更に、本実施の形態のポケット型紙おしぼりは、包装物として、広告媒体として大きく普及しているポケットティッシュと略同一サイズを有するため、広告媒体としての利用頻度を高めることができると共に、内部に収容されるものが紙おしぼりであるため、受け取る人にポケットティッシュとは異なるユニークな印象を与えて、比較的長時間所持してもらえるようにし、より高い広告機能を発揮することができる。特に、紙おしぼり包装物１０が、ポケットティッシュサイズより若干小さいサイズとなるよう、当該小さいサイズ用に開発した専用の紙おしぼり製造装置及び紙おしぼり包装装置を使用して製造され、かかるサイズで包装物としてのポケット型紙おしぼりの紙おしぼり包装部２１Ａに収容されるため、ポケット型紙おしぼりを受け取る人に、従来のポケットティッシュと同様の感触を与えることができる。なお、かかる専用の紙おしぼり製造装置は、例えば、紙おしぼり原紙を最終サイズに裁断して搬送する搬送ユニットにおいて、複数配置される搬送用ベルト（バーコード）間の間隔を上記紙おしぼり１０の長さに対応して従来のものより小さく設定したり、搬送用ベルト間に搬送用ガイドを配置したりして、搬送用ベルト間で紙おしぼり１０の長さ方向両端部が確実に保持されるようにするものである。更に、本実施の形態のポケット型紙おしぼりは、紙おしぼり包装物１０を、全体として、約５ｍｍ以上の厚みを有するよう、包装袋２０の紙おしぼり収容部２１Ａ内に収容することで、一般的なポケットティッシュと同等の厚みとなり、受け取る人にポケットティッシュと同様の感触を一層強く与える一方で、内部の紙おしぼり包装物１０により特異な印象を与えることができる。
【図面の簡単な説明】
【００１５】
【図１】図１は本発明の一実施の形態に係るポケット型紙おしぼりの包装袋の紙おしぼり収容部を開放し、その紙おしぼり収容部内に紙おしぼり包装物を収容する直前の状態を背面側から見て示す斜視図である。
【図２】図２は本発明の一実施の形態に係るポケット型紙おしぼりの包装袋の紙おしぼり収容部を開放し、その紙おしぼり収容部内に紙おしぼり包装物を収容した後の状態を示す背面図である。
【図３】図３は本発明の一実施の形態に係るポケット型紙おしぼりの包装袋の紙おしぼり収容部内に紙おしぼり包装物を収容し、紙おしぼり収容部を蓋部により閉じた状態を示す背面図である。
【図４】図４は本発明の一実施の形態に係るポケット型紙おしぼりの包装袋の紙おしぼり収容部を開放する一方、広告シート収容部内に広告シートを収容する直前の状態を正面側から見て示す斜視図である。
【図５】図５は本発明の一実施の形態に係るポケット型紙おしぼりの包装袋の第１の収容部、蓋部及び第２の収容部間の関係を断面的に示す説明図であり、（ａ）は包装袋の蓋部を開いた状態を示し、（ｂ）は紙おしぼり包装部内に紙おしぼり包装物を収容し、紙おしぼり収容部を折返し部及び蓋部により略気密に閉じた状態を示す。
【符号の説明】
【００１６】
１０：紙おしぼり包装物、１１：紙おしぼり
２０：包装袋、２１：第１の収容部、開口：２１ａ、
２１Ａ：紙おしぼり収容部、２１Ｂ：折返し部、２２：蓋部
２５：第２の収容部、２５ａ：開口
Ｐ：広告シート
【図１】
2006204387.tif 000003
【図２】
2006204387.tif 000004
【図３】
2006204387.tif 000005
【図４】
2006204387.tif 000006
【図５】
2006204387.tif 000007